(57)【要約】本発明は、跳躍運動用ボードユニットおよびその緩衝脚に関する。本発明の跳躍運動用ボードユニットは、平坦なベース板材の縁部全体に沿って上方に壁体が突出したメインボードと、前記メインボードのベース板材を覆い被せながらメインボードの壁体内面に密着して結合する密着リブが下方に突出し、その内側下面に補強リブが設けられた内板と、前記内板の上面に設けられ、ソフトな触感を持つ柔軟な素材で出来た上板とを含んでなる。本発明の跳躍運動用緩衝脚は、内部が空いている中空状の胴体と、前記胴体の上端に設けられ、互いに向かい合う一対の結着突起とを含んでなる跳躍運動用ボードユニットの緩衝脚であって、前記胴体は、柔軟で比較的強度の弱い状態で皺構造の１次緩衝部が設けられ、前記１次緩衝部に比べて強度が強くて大きい弾性復元力を有する構造の２次緩衝部が前記１次緩衝部と接して設けられたことを特徴とする。よって、ボードユニットをなすメインボードと内板だけでなく、ここに選択的に上板までもワンタッチ方式で組み立てられるように設けることにより、組立工程の簡便化を実現することができ、上板の様々な組立の組み合わせを与えることにより使用者の好みに合わせて様々なデザインを確保することができ、緩衝脚の二重緩衝構造によって強弱の衝撃をより効果的に吸収することができて使用者層を広げることができるという効果がある。【選択図】なし
2012516191.tif 000002
【特許請求の範囲】
【請求項１】
平坦なベース板材の縁部全体に沿って上方に壁体が突出したメインボードと、
前記メインボードのベース板材を覆い被せながらメインボードの壁体内面に密着して結合する密着リブが下方に突出し、その内側下面に補強リブが設けられた内板と、
前記内板の上面に設けられ、ソフトな触感を持つ柔軟な素材で出来た上板とを含んでなることを特徴とする、跳躍運動用ボードユニット。
【請求項２】
前記内板の補強リブは、内板の下面全体にわたって互いに交差する格子状に設けられ、内板の中央部に該当する補強リブが、メインボードのベース板材の上面から離隔した状態を保つように縁部の補強リブより短く形成されたことを特徴とする、請求項１に記載の跳躍運動用ボードユニット。
【請求項３】
前記内板の上面は平坦な平面からなり、これに対応する上板の底面も平坦な平面からなることにより、前記内板と前記上板とが互いに接着剤または両面テープなどの接着手段で接着されたことを特徴とする、請求項１に記載の跳躍運動用ボードユニット。
【請求項４】
前記上板は、内板と組み立てられるもので、多数の上板片からなり、内板の上面にパズル方式で組み立てられることを特徴とする、請求項１に記載の跳躍運動用ボードユニット。
【請求項５】
前記内板は、その上面全体が格子状に均一に区画され、それぞれの格子のマス目に該当する単位格子の中央および縁部に複数の結合孔が設けられ、それぞれの上板片は内板の単位格子に相応する形状に設けられ、その中央の底面と縁部には内板の結合孔に嵌め込まれる複数の結合突起が設けられたことを特徴とする、請求項４に記載の跳躍運動用ボードユニット。
【請求項６】
前記メインボードのベース板材と壁体との境界部分には複数のロックホールが設けられ、前記内板の外側には前記メインボードの各前記ロックホールに挿入されて係止されるロック突起が設けられたことを特徴とする、請求項４に記載の跳躍運動用ボードユニット。
【請求項７】
前記メインボードの壁体の上端部分には、その内側に結合する内板の上端隅部を押さえる押さえ突起が設けられたことを特徴とする、請求項４に記載の跳躍運動用ボードユニット。
【請求項８】
前記内板の外側上端には、前記メインボードの押さえ突起が内板の上面から突出しないようにする係止段部が設けられたことを特徴とする、請求項４に記載の跳躍運動用ボードユニット。
【請求項９】
内部が空いている中空状の胴体と、前記胴体の上端に設けられ、互いに向かい合う一対の結着突起とを含んでなる跳躍運動用ボードユニットの緩衝脚において、
前記胴体は、柔軟で比較的強度が弱い状態で皺構造の１次緩衝部が設けられ、前記１次緩衝部に比べて強度が強くて大きい弾性復元力を有する構造の２次緩衝部が前記１次緩衝部と接して設けられたことを特徴とする、跳躍運動用ボードユニットの緩衝脚。
【請求項１０】
前記１次緩衝部が２次緩衝部の下端に設けられたことを特徴とする、請求項９に記載の跳躍運動用ボードユニットの緩衝脚。
【請求項１１】
前記２次緩衝部は外側に緩やかに膨出した柱構造を持つことを特徴とする、請求項９または１０に記載の跳躍運動用ボードユニットの緩衝脚。
【請求項１２】
前記２次緩衝部は、急激に折り畳まれることを防止するように、その内側周面の上下位置に一定の間隔で互いに離隔している２つの折畳防止突起を有することを特徴とする、請求項１１に記載の跳躍運動用ボードユニットの緩衝脚。
【請求項１３】
前記１次緩衝部は三角ねじ山形に設けられたことを特徴とする、請求項９または１０に記載の跳躍運動用ボードユニットの緩衝脚。
【請求項１４】
前記１次緩衝部の中間部分が１次および２次緩衝部の内径より小さい直径を持つことを特徴とする、請求項１３に記載の跳躍運動用ボードユニットの緩衝脚。
【請求項１５】
前記２次緩衝部は構造上弾性復元力の良好な波形に設けられたことを特徴とする、請求項９または１０に記載の跳躍運動用ボードユニットの緩衝脚。
【請求項１６】
前記２次緩衝部は外側に膨出した半円弧状を連続積層した形状に設けられたことを特徴とする、請求項９または１０に記載の跳躍運動用ボードユニットの緩衝脚。
【発明の詳細な説明】
【技術分野】
【０００１】
本発明は、跳躍と着地を繰り返し行うことが可能な跳躍運動用ボードに係り、さらに詳しくは、メインボード、内板および上板からなるボードユニットがワンタッチ方式で組み立てられるので、組立工程が簡便になるのはもとより、内板と上板の様々な組み立ての組み合わせを図ることにより使用者の好みに合わせて多様なボードにして能動的な対処が可能であるうえ、緩衝脚の二重緩衝構造によって強弱の衝撃をより効果的に吸収することができて使用者層を広げることができる、跳躍運動用ボードユニットおよびその緩衝脚に関する。
【背景技術】
【０００２】
一般に、跳躍運動用ボードは、居室または部屋の床上に設置し、その上で使用者が足踏み、跳躍および着地を繰り返し行うための運動機構の一つである。このような跳躍運動用ボードは、板状のメインボードと、このメインボードの下面縁部に設置され、メインボードを支持しかつ着地時の衝撃または騒音を減らすための緩衝支持台からなる緩衝脚とを含んでなる。
【０００３】
このような跳躍運動用ボードの中でも、従来の技術に提示されたついて概略的に考察してみよう。
【０００４】
韓国特許第１０−０４４６５８８に開示された跳躍運動用ボードは、踏み板としての板状ボードと、このボードの下部に設けられ、前記ボードに加えられる荷重を緩衝支持するように高さ方向に沿って二段以上に層状配列される胴体を有する緩衝脚とを含んでなり、前記緩衝脚は前記ボードの下部に三角構図で配置され、胴体は高さ方向に沿って複数の単位部材が三段に配列されてなる。さらに、前記緩衝脚には、胴体内に収容された緩衝空気を部分的に外部へ排出させる空気排出調節部が設けられている。
【０００５】
前述した跳躍運動用ボードは、その要部が緩衝脚であると言える。ところが、前記緩衝脚は、単に内部の空いている単位部材が二段以上に配列されてなる筒状構造であるので、使用者の体重による強弱の衝撃荷重を効果的に吸収することができず、単に平均体重の荷重に対してのみまともな衝撃吸収が行われるという問題点があった。
【０００６】
特に、跳躍運動を行うとき、使用者の体重が標準体重以上であれば、その衝撃荷重が急激に増加するので、緩衝脚の単位部材はフラットに変形して互いに当接して係止され、これにより衝撃荷重をまともに吸収することができず、ひいては緩衝脚が変形してしまう損傷が生ずるという問題点を持っていた。
【０００７】
韓国特許第１０−０８４４０００号に開示された跳躍運動用ボードは、メインボードの上面に設けられる上板と、前記メインボードの下面隅部に設けられ、メインボードを安定的に支持する緩衝脚とを含んでなる跳躍運動用ボードであって、前記メインボードは、上板が載置され固定される定着部が上面に設けられ、この定着部にはメインボードの軽量化を図りながら十分な剛性を持つように補強リブが設けられるように合成樹脂材で射出成形したものである。
【０００８】
前述したような従来の跳躍運動用ボードは、メインボード上の上板で跳躍と着地、すなわち跳躍運動が長期間繰り返し行われると、ソフトな緩衝部材からなる上板の中央部分が凹んでしまうおそれがある。さらに、ソフトな緩衝部材からなる上板が使用者の足との摩擦により脱色してしまうおそれがあり、このように部分的に脱色すると、美観上良くないという問題点があった。
【０００９】
特に、前記メインボードは、より確実なメインボードの強度補強を図るために、メインボードの上面である補強リブ上に熱融着によって補強シートを一体化させたが、メインボード上で使用者が跳躍と着地などの跳躍運動を行うときに発生する衝撃荷重により、メインボードの端部から中央に行くほど下方に膨出した形状の撓み変形が発生する。この際、前記メインボードの補強リブと補強シートとの熱融着部分で撓み変形に耐えられずクラックまたは剥離が生ずるおそれがある。このようにクラック又は剥離が生ずるときに「こつん」という轟音が発生することもあり、使用者が破損に対する不安感を持つのはもとより、堅固性に対する信頼を確保することができないという問題点があった。
【００１０】
また、緩衝脚の構造も、単に内部が空いている多段の筒状構造、すなわち外側に膨出した同一サイズの半円弧状に連続積層した筒状構造になっているため、使用者の体重による強弱の衝撃荷重が効果的に吸収されず、単に平均体重の荷重に対してのみまともな衝撃吸収が行われるものである。よって、使用者の体重がやや軽ければ、とんとんと跳ね返る感じの反力により運動効果が半減してしまい、逆に、使用者の体重が重ければ、衝撃荷重に耐えられず、端部が互いに当接して係止されるので、まともに衝撃荷重が吸収されず、ひいては緩衝脚が変形してしまう損傷が発生するという問題点を持っていた。
【発明の概要】
【発明が解決しようとする課題】
【００１１】
本発明は、上述したような従来の諸般弊害および問題点を解決するために研究開発したもので、その目的は、ボードユニットをなすメインボードと内板だけでなく、ここに選択的に上板までもワンタッチ組み立て方式で設けることにより組立工程の簡便化を実現することができ、上板の様々な組み立ての組み合わせを与えることにより使用者の好みに合わせて様々なデザインを確保することができ、使用中に厭きてしまえば上板の取り替えが可能なのでその使用寿命の長期化を図ることができるようにした、跳躍運動用ボードユニット及びその緩衝脚を提供することにある。
【００１２】
本発明の他の目的は、緩衝脚に強弱の１次緩衝部と２次緩衝部の二重緩衝構造を設けることにより、強弱の衝撃荷重をより効果的に吸収することができ、これにより使用者の体重が大きく変化しても効果的な衝撃吸収を図ることができて使用者層を画期的に広げることができるようにした、跳躍運動用ボードユニットおよびその緩衝脚を提供することにある。
【００１３】
本発明の別の目的は、１次緩衝部を２次緩衝部の下部に設けることにより、メインボード上で使用者が跳躍運動を行うとき、１次的に反発力の弱い１次緩衝部が衝撃を吸収し、２次緩衝部の反発力により伸張しても、室内の床に接した１次緩衝部の底部が接地された状態に維持されるので、メインボードと共に緩衝脚が移動しないため安定的な跳躍運動を楽しめることができるようにした、跳躍運動用ボードユニットおよびその緩衝脚を提供することにある。
【課題を解決するための手段】
【００１４】
上記目的を達成するために、本発明に係る跳躍運動用ボードユニットは、平坦なベース板材の縁部全体に沿って上方に壁体が突出したメインボードと、このメインボードのベース板材を覆い被せながらメインボードの壁体内面に密着して結合する密着リブが下方に突出し、その内側下面に補強リブが設けられた内板と、この内板の上面に設けられ、ソフトな触感を持つ柔軟な素材で出来た上板とを含んでなることを特徴とする。
【００１５】
本発明に係る跳躍運動用ボードユニットにおいて、前記内板の内側下面に設けられる補強リブは、内板の下面全体にわたって互いに交差する格子状に設けられ、内板の中央部に該当する補強リブが、メインボードのベース板材の上面から離隔した状態を保つように縁部の補強リブより短く形成されたことが好ましい。
【００１６】
また、本発明に係る跳躍運動用ボードユニットにおいて、前記内板の上面は平坦な平面からなり、これに対応する上板も底面が平坦な平面からなることにより、前記内板と前記上板とを互いに接着剤または両面テープなどの接着手段で接着することができる。
【００１７】
また、本発明に係る跳躍運動用ボードユニットにおいて、前記上板は内板と組み立て式で設けることができ、このように組み立て式で上板を設ける場合、多数の上板片からなり、内板の上面にパズル方式で組み立てることが好ましい。
【００１８】
前記上板がパズル組み立て方式の場合、内板はその上面全体が格子状に均一に区画され、それぞれの格子のマス目に該当する単位格子の中央および縁部に複数の結合孔が設けられ、それぞれの上板片は内板の単位格子に相応する形状に設けられ、その中央の底面と縁部には内板の結合孔に嵌め込まれる複数の結合突起が設けられたことを特徴とする。
【００１９】
また、本発明に係る跳躍運動用ボードユニットにおいて、前記メインボードと内板を組み立てたときに相互間の分離解体を防止するための解体防止手段をさらに含むことを特徴とする。
【００２０】
前記解体防止手段は、ベース板材と壁体との境界部分に設けられる複数のロックホールと、前記内板の外側に設けられ、前記ロックホールにそれぞれ挿入されて係止されるロック突起とから構成される。
【００２１】
前記解体防止手段は、前記メインボードの壁体上端部分に設けられ、その内側に結合する内板の上端隅部を押さえる押さえ突起であってもよい。前記解体防止手段が押さえ突起の場合、前記内板の外側上端には、前記メインボードの押さえ突起が内板の上面から突出しないようにする係止段部を設けることが好ましい。
【００２２】
本発明は、内部が空いている中空状の胴体と、前記胴体の上端に設けられ、互いに向かい合う一対の結着突起とを含んでなる跳躍運動用ボードユニットの緩衝脚であって、前記胴体は、柔軟で比較的強度の弱い状態で皺構造の１次緩衝部が設けられ、前記１次緩衝部に比べて強度が強くて大きい弾性復元力を有する構造の２次緩衝部が前記１次緩衝部と接して設けられたことを特徴とする。
【００２３】
前記１次緩衝部と前記２次緩衝部は、上部には１次緩衝部を設け、下部には２次緩衝部を設けてもよいが、これとは逆に、位置を互いに入れ替えて２次緩衝部の下端に１次緩衝部を設けてもよい。
【００２４】
前記２次緩衝部は、外側に緩やかに膨出した柱構造をし、この場合、前記２次緩衝部が急激に折り畳まれることを防止するように内周面の上下位置に一定の間隔で互いに離隔している２つの折畳防止突起を設けることが好ましい。
【００２５】
前記１次、２次緩衝部は構造上弾性復元力の良い波形、または三角ねじ山形、または外側に膨出した半円弧状を連続積層した形状にしてもよい。
【００２６】
前記１次緩衝部の中間部分は、１次緩衝部が外側に不規則的に膨出するなどの変形を防止するために、１次および２次緩衝部の内径より小さい直径を持つことが好ましい。
【発明の効果】
【００２７】
上述したような本発明の跳躍運動用ボードユニット及びその緩衝脚は、メインボードと内板だけでなく、ここに選択的に上板までもワンタッチ組み立て方式で設けることにより組み立て工程の簡便化を実現することができ、上板の様々な組み立ての組み合わせを与えることにより使用者の好みに合わせて様々なデザインを確保することができ、使用中に厭きてしまえば上板の取り替えが可能なのでその使用寿命の長期化を図ることができるという効果を持つ。
【００２８】
また、本発明は、緩衝脚に強弱の１次緩衝部と２次緩衝部の二重緩衝構造を設けることにより、強弱の衝撃をより効果的に吸収することができ、これにより使用者の体重が大きく変化しても効果的な衝撃吸収を図ることができるため、使用者層を画期的に広げることができるという効果を得る。
【００２９】
特に、１次緩衝部が２次緩衝部の下部に設けられる場合、メインボード上で使用者が跳躍運動を行うとき、１次的に反発力の弱い１次緩衝部が衝撃を吸収し、２次緩衝部の反発力により伸張しても、室内の床に接した１次緩衝部の底部が接地した状態に保たれるので、メインボードと共に緩衝脚が移動しないため、安定な跳躍運動を楽しめることができるという効果を得る。
【発明を実施するための形態】
【００３０】
以下に添付図面を参照しながら、本発明に係る跳躍運動用ボードユニットおよびその緩衝脚を詳細に説明する。
【００３１】
図１〜図３は本発明の好適な一実施例に係る跳躍運動用ボードユニットおよびその緩衝脚を説明するために示す図、図４〜６は本発明のボードユニットと緩衝脚との結合部分を説明するために示す図である。
【００３２】
図示の如く、本発明の跳躍運動用ボードは、メインボード１１０の上面に内板１２０および上板１３０が嵌め込まれて固定されたボードユニット１００と、このボードユニット１００の四隅部の底面にそれぞれ締結され、外部からの加圧による衝撃を緩衝させるための緩衝脚２００とを含んでなる。
【００３３】
前記ボードユニット１００は、メインボード１１０の上面に内板１２０が隙間なく緊密に密着結合し、前記内板１２０上にはソフトな触感を持つ柔軟な素材の上板１３０が設けられている。
【００３４】
前記メインボード１１０は、合成樹脂によって射出成形されるが、四隅部を丸めた平坦な四角形のベース板材１１１と、前記ベース板材１１の縁部全体に上方に突設され、少なくとも内板１２０および上板１３０を収容しうる深さを持つ壁板１１２とから構成される。
【００３５】
また、前記メインボード１１０をなすベース板材１１１の四隅部には、緩衝脚２００の結着突起２０３をそれぞれ結着させるための結着孔１１３が設けられている。前記結着孔１１３は、上方に貫通してきた緩衝脚２００の結着突起２０３と、前記緩衝脚２００の回転操作によって互いにワンタッチ方式で結合する構造である。
【００３６】
言い換えれば、前記結着孔１１３は、平面形状は向かい合う一対の弧状をするが、前記弧状の一方は結着突起２０３が貫通する程度に広く形成され、その他方は結着突起２０３の頚部２０４に係止されるように狭く形成されている。前記結着孔１１３における狭い部位の中間部分には、結着突起２０３の頚部２０４に設けられる係止溝２０５に係止されるように係止突起１１４が設けられている。
【００３７】
前記結着孔１１３の同一円周上には、緩衝脚２００を締結したときに前記緩衝脚２００の騒音除去部材２１０と一致する位置にエア流通孔１１５が穿設されている。前記エア流通孔１１５は、メインボード１１０上で跳躍運動を行うとき、緩衝脚２００内のエアがメインボード１１０に対して排出または導入される通路である。
【００３８】
また、ベース板材１１１と壁体１１２との境界部分には、内板１２０の外側に設けられたロック突起１２３が挿入されて係止されるように複数のロック孔１１６が設けられている。前記ロック孔１１６は、解体防止手段の一つであって、内板１２０がメインボード１１０の壁体１１２の内側に隙間なく緊密に密着結合したとき、メインボード１１０から内板１２０が分離されることを防止するためのものである。
【００３９】
前記壁体１１２は、その断面が下部に開放されたキャップ状をし、その内部には一定の間隔で多数の壁体補強リブ１１７が設けられている。
【００４０】
前記内板１２０は、メインボード１１０の上面の縁部に沿って設けられた壁体１１２の内面と密着する形状、すなわち平面状のベース板材１１１と同一の形状に設けられるが、その縁部全体に沿って下方に突出した密着リブ１２１が設けられており、四隅部もメインボード１１０のベース板材１１１に相応する曲線を持つ四角形をしている。
【００４１】
前記密着リブ１２１の外面はメインボード１１０の壁体１１２と接触する表面である。よって、前記密着リブの外面には、ベース板材１１１と壁体１１２との境界部分に設けられる複数のロック孔１１１６に挿入されて係止されるロック突起１２３が設けられている。
【００４２】
また、前記内板１２０はその下面全体にわたって互いに交差する格子状の補強リブ１２２が下方に突出しており、中央部分の補強リブ１２２は縁部の補強リブ１２２に比べて短く形成されている。このように中央部分の補強リブ１２２を縁部の補強リブ１２２に比べて短く形成する理由は、メインボード１１０の内側であるベース板材１１１から離隔した状態を保つことにより、跳躍の際にメインボード１１０の内側上面との接触による騒音を最大限防止するためである。前記内板１２０の四隅部は曲線の形状に合わせて円形または弧状のリブにしてもよい。
【００４３】
前記上板１３０は、使用者の足に接触する部分なので、ソフトな触感を持つ柔軟な素材からなることが好ましく、少なくとも下面は内板１２０の上面と別途の両面テープなどの接着手段によって接着されなければならないので平坦に形成され、上面は触感またはデザインを考慮してエンボス突起が設けられている。
【００４４】
前記緩衝脚２００は、内部が空いている中空状の胴体と、胴体の上端に設けられ、メインボード１１０をなすベース板材１１１の四隅部の下面に設けられる結着孔１１３を貫通してそれぞれ結着されるように互いに向かい合う一対の結着突起２０３とを含んでなる。さらに、前記緩衝脚２００には、強度および弾性係数の異なる１次および２次緩衝部２０１、２０２が設けられている。前記１次緩衝部２０１は上端部に上下に稠密に多段連続した三角ねじ山形の皺構造をしており、前記２次緩衝構造２０２は１次緩衝部２０１の下部に外側に緩やかに膨出した柱構造をしている。
【００４５】
前記１次緩衝部２０１は、２次緩衝部２０２より強度が弱く柔軟に設けられることが好ましい。その理由は、まず、１次緩衝部２０１が子供またはこのような小さい体躯の衝撃荷重によっても収縮しながら衝撃を吸収した後、２次緩衝部２０２が大きい衝撃荷重によって弾性変形内で収縮しながら吸収するようにするためである。
【００４６】
また、前記緩衝脚２００の上端の結着突起２０３は、メインボード１１０の結着孔１１３の広い部分に貫通した後、回転させると、前記結着孔１１３の狭い部分に係止されるように下部に頚部２０４を持つ「Ｌ」字状の断面構造をしている。
【００４７】
前記結着突起２０３の下部の頚部２０４と接する下面には、狭い部分の結着孔１１３の中間部位に設けられた係止突起１１４が挿入されて係止されるようにする係止孔２０５が設けられている。
【００４８】
前記緩衝脚２００の結着突起２０３と互いに直交する上端部には、緩衝脚２００が圧縮されてから伸張するときにその内部のエアが吸入され排出されるように下方に凹み、緩衝脚２００の内側に開放された溝状の通気口２０６が設けられており、通気口２０６には騒音を除去するための別途の騒音除去部材２１０が備えられている。
【００４９】
前記騒音除去部材２１０は通気口２０６の内部に挿設されるものである。これは「コ」字状にケーシング２１１が設けられており、前記ケーシング２１１内に多孔性素材のスポンジ２１２が挿入されている。前記ケーシング２１１は、「コ」字状の射出物または板材を「コ」字状に折り曲げたものであり、少なくとも緩衝脚２００の内側と上方に向けてそれぞれ通孔が設けられている。
【００５０】
上述したように構成された本発明に係る跳躍運動用ボードは、まず、内板１２０を射出によって成形するが、射出金型から所定の時間冷却タイムを与えて引き出し、十分な時間大気中で冷却させた多数の内板１２０を設ける。この際、内板１２０は、大気中で十分に冷却するため、後収縮が十分に行われ、これにより設計値通りの公差を得る。
【００５１】
このように内板１２０を設けた後、メインボード１１０の射出金型から所定の時間冷却タイムを与えて引き出し、メインボード１１０を得る。この際、素材によって様々であるが、メインボード１１０は複合ポリプロピレン樹脂を採用して使用するため、射出金型から引き出したときの温度が大気温度より高い６０〜７０℃である。言い換えれば、メインボード１１０素材の後収縮が行われていない状態である。
【００５２】
上述したようにメインボード１１０を射出金型から取り出し次第、前記メインボード１１０をなすベース板材１１１の縁部である壁体１１２の内面に、内板１２０の縁部である密着リブ１２１が密着しながら、メインボード１１０のロック孔１１６に前記密着リブ１２１上のロック突起１２３が挿入されて係止されるように組み立てる。
【００５３】
このようにメインボード１１０に内板１２０を組み立てて大気中で冷却させると、メインボード１１０の冷却により発生するメインボード１１０の収縮（以下、後収縮ともいう）に伴い、内板１２０の密着リブ１２１にメインボード１１０の壁体１１２の内面が堅固に密着する。より具体的には、メインボード１１０と内板１２０が一つの射出金型で射出成形したかのように一体化される。
【００５４】
このようにメインボード１１０に内板１２０を組み立てた後、前記内板１２０の上面に上板１３０を接着剤または両面テープで接着し、前記メインボード１１０のベース板材１１１に穿孔されているそれぞれの結着孔１１３ごとに緩衝脚２００の結着突起２０３を嵌め込んで締結することにより、組み立てが完了する。
【００５５】
次に、前記メインボード１１０に緩衝脚２００を締結する過程についてより具体的に説明する。前記緩衝脚２００の上端の結着突起２０３がメインボード１１０の結着孔１１３の広い部分に貫通するように挿入して時計方向に回転させると、前記結着孔１１３の狭い部分に頚部２０４が係止され、前記結着突起１１３の下面の係止溝２０５に結着孔１１３の周囲の係止突起１１４が挿入されて係止される。
【００５６】
このように組立てが完了した本発明に係る跳躍運動用ボードを、居室またはベランダなどの床にその緩衝脚２００の下面が載置されるようにして設置し、使用者がボードユニット１００の上板１３０上に立って足踏みまたは跳躍運動を行うことができる。
【００５７】
このようにボードウニット１００の上板１３０上で足踏みまたは跳躍運動などを行うとき、前記緩衝脚２００は、圧縮されてから膨張しながらも衝撃を吸収し、安定な支柱の役目をする。この際、前記緩衝脚２００の１次緩衝部２０１は、使用者が上板１３０の上に立つことまたは小さい衝撃によっても弾性範囲内で折り畳まれるか或いは変形する。使用者が足踏み又は跳躍運動を持続的に行う過程では、前記緩衝脚２００の１次緩衝部２０１で１次的な緩衝が行われた後、強度および弾性係数の大きい２次緩衝部２０２が弾性範囲内で折り畳まれるか或いは変形する。
【００５８】
その理由は、前記１次緩衝部２０１が２次緩衝部２０２に比べて弱い強度を有し、柔軟であることにある。よって、小さい衝撃荷重によっても、１次緩衝部２０１がまず収縮しながら衝撃を吸収した後、強度および弾性係数の大きい２次緩衝部２０２が弾性変形の範囲内で収縮しながら衝撃を吸収する。
【００５９】
結論的に、緩衝脚２００の１次、２次緩衝部２０１、２０２によって順次且つ効果的に緩衝が行われるので、使用者の関節に衝撃が伝達されないのはもとより、使用者の体重を問わず子供から成人に至るまで使用することができ、本発明の跳躍運動用ボードを設置した床面に伝達される衝撃も最大限減少させることができる。
【００６０】
この他にも、緩衝脚２００の騒音除去部材２１０によって足踏みまたは跳躍による緩衝脚２００内の空気が、ベース板材１１１のエア流通孔１１５を介して、メインボード１１０のベース板材１１１と内板１２０の補強リブ１２２との間の密閉空間にのみ排出され、これにより緩衝脚２００内の空気が通気口２０６とエア流通孔１１５を通過する流通騒音を最小化または除去することができる。
【００６１】
上述したように足踏み又は跳躍運動を行う状態で、ボードユニット１００は、使用者の体重によってその中央部分が下方に膨出するように撓むが、このようにボードユニット１００をなすメインボード１１０、内板１２０および上板１３０の中央部分が下方に膨出するように撓んでも、メインボード１１０のベース板材１１１と内板１２０の補強リブ１２２が互いに離隔しているから、接触するおそれがなく、これによりメインボード１１０と内板１２０との接触による摩擦騒音が発生しない。
【００６２】
また、前記内板１２０の底面に互いに交差して設けられた補強リブ１２２によってメインボード１１０が十分な強度を有し、これによりメインボード１１０上で跳躍と着地を繰り返し行うときに発生する反復荷重に対する別の損傷なしに耐久性が大きく向上する。
【００６３】
図７は本発明に係る跳躍運動用ボードユニットにおける解体防止手段の他の実施例を説明するために示す図である。ここで、前記メインボード１１０の壁体１１２の上端部分にはその内側に結合する内板１２０の上端隅部を押さえるように押さえ突起１１８が設けられる。前記メインボード１１０の壁体１１２に押さえ突起１１８が設けられる場合、前記内板１２０の外側上端には、前記メインボード１１０の押さえ突起１１８が内板１２０の上面から突出しないようにする係止段部１２６が設けられなければならない。
【００６４】
前述したような解体防止手段の他の実施例によれば、メインボード１１０の壁体１１２の上端部に設けられる押さえ突起１１８が内板１２０の上端隅部を堅固に押さえることにより、本発明のボードユニット上で跳躍運動などを行ってもメインボード１１０から内板１２０が離脱しないようにする。
【００６５】
また、前記内板１２０の上面に上板１３０を設置するとき、押さえ突起１１８が内板１２０の係止段部１２６と一致する形状なので、前記内板１２０の上面から突出しないため、何の制約もなく設置することができ、上板１３０上で使用者が跳躍運動を行うときにも係止されるおそれもない。
【００６６】
図８〜図１０は、本発明に係る跳躍運動用ボードユニットの他の実施例を説明するために示す図である。ここで、メインボード１１０は本発明の一実施例と同様であり、内板１２０は下面に密着リブ１２１と補強リブ１２２が設けられたことが本発明の一実施例と同様である。但し、内板１２０の上面もその全体が格子状に均一に区画されるが、それぞれの格子のマス目に該当する四角形の中央および縁部に複数の結合孔１２５がさらに設けられる。
【００６７】
前記上板１３０は、内板１２０の上面全体を覆い被せるように格子状に均一に区画された内板１２０の各格子のマス目に該当する形状に分割され、それぞれ分割された形状の中央および縁部に内板１２０の結合孔１２５と相応してそれぞれ結合する複数の結合突起１３３が設けられた複数の上板片１３１、１３３から構成されている。
【００６８】
また、前記上板片１３１、１３２の結合突起１３３には、その内面に内板１２０の結合孔１２５に挿入されると分離離脱しないように係止される係止片１３４が設けられている。
【００６９】
上述したように構成された他の実施例の跳躍運動用ボードユニットは、内板１２０の結合孔１２５に、上板１３０をなす多数の上板片１３１、１３２が組み立てられるので、メインボード１１０、内板１２０および上板１３０からなるボードユニット１００全体をワンタッチ方式で組み立てることができ、これにより接着剤や両面テープなどの資材費が減少し、組み立ての自動化が容易になる。
【００７０】
図１１は本発明に係る跳躍運動用緩衝脚の他の実施例を示す図である。ここでは、緩衝脚２００の２次緩衝部２０２の内周面に上下位置に一定の間隔で互いに離隔している２つの折畳防止突起２０７が設けられた以外は、本発明の一実施例と同様である。
【００７１】
上述したおうに構成される跳躍運動用ボードは、ボードユニットの上板の上で脚踏みまたは跳躍運動を行うとき、強度が弱くて柔軟な１次緩衝部２０１が１次的に緩衝された後、強度および弾性係数の大きい２次緩衝部２０２が弾性変形の範囲内で収縮しながら衝撃を吸収し始める。
【００７２】
前記２次緩衝部２０２がある程度収縮すると、その内面の折畳防止突起２０７が互いに接触して支持されるので、強度補強がなされる。これにより、２次緩衝部２０２が急激に折り畳まれることを防止する。
【００７３】
よって、使用者の体重変化またはジャンプ強度による強弱の衝撃をより効果的に吸収するのはもとより、使用者の体重が大きく変化しても、効果的な衝撃吸収を図ることができ、使用者層を画期的に広げることができる。
【００７４】
図１２および図１３は本発明に係る跳躍運動用緩衝脚の別の実施例を示す図である。図１２は緩衝脚２００において１次緩衝部２０１の下の２次緩衝部２０２を構造上弾性復元力の良好な波形に設けたものであり、図１３は緩衝脚２００において１次緩衝部２０１と２次緩衝部２０２の位置を互いに入れ替えて２次緩衝部２０２の下端に１次緩衝部２０１を設けたものである。
【００７５】
前記２次緩衝部２０２の断面形状は、１次緩衝部２０１と同様に、三角ねじ山形、または外側に膨出した半円弧形を連続積層した形状にしてもよい。
【００７６】
前述したような別の実施例の緩衝脚によれば、２次緩衝部２０２の断面形状を波形にしたので、構造的な特性上、弾性復元力に優れる。これによる効果的な緩衝によって、本発明の跳躍運動用ボードを設置した床面に伝達される衝撃を減少させることができる。
【００７７】
また、緩衝脚２００の底部に接する部分である１次緩衝部２０１または２次緩衝部２０２の下端部分は、互いに当接せず、程度に合わせる規則的な限度で行われる節度感を持つように弧状にすることが好ましい。
【００７８】
この際、前記１次緩衝部２０１が２次緩衝部２０２の下部に設けられる場合、底部は厚く、その上部に行くほど１次緩衝部２０１の厚さが薄くなるようにすれば、より柔らかい節度感を持つ状態に収縮し伸張する。
【００７９】
特に、前記１次緩衝部２０１が２次緩衝部２０２の下部に設けられる場合、例えば、メインボード１１０上で使用者が跳躍運動を行うと仮定すると、衝撃を吸収する際には１次的に反発力の弱い１次緩衝部２０１が吸収してから２次緩衝部２０２が吸収するので、効果的に衝撃荷重を減衰させる。これとは逆に、反発力が作用する際には、強度および弾性力の大きい２次緩衝部２０２が伸長した後、反発力の弱い１次緩衝部２０１が伸長する。よって、緩衝脚２００のサイズに復元しようする復元力、すなわち反発力が効果的に減衰するので、室内の床に接した１次緩衝部２０１が床から離れず接地した状態に保たれる。これにより、メインボード１１０と共に緩衝脚２００が移動しないため、本発明の跳躍運動用ボードで安定な跳躍運動を楽しめることができる。
【００８０】
一方、本発明に係る跳躍運動用ボードユニットおよびその緩衝脚は、ボードユニットと緩衝脚の形状や内板の補強リブ形状などを様々に変形実施することが可能であり、本発明の目的範囲を逸脱しない限り、変形実施例はいずれも本発明の権利範囲に含まれて解釈されるべきである。
【産業上の利用可能性】
【００８１】
本発明は、室内の居室やベランダなどで周囲の人々に騒音の被害を与えることなく跳躍運動を楽しめることができ、広い板材上で跳躍と着地を繰り返し行う跳躍運動機構に有用に利用可能である。
【図面の簡単な説明】
【００８２】
【図１】本発明の好適な一実施例に係る跳躍運動用ボードユニットおよびその緩衝脚を示す分解斜視図である。
【００８３】
【図２】図１の組立て断面図である。
【００８４】
【図３】図２の底面図である。
【００８５】
【図４】本発明の跳躍運動用ボードユニットとその緩衝脚との締結部分を説明するために示す分解斜視図である。
【００８６】
【図５】図４のボードユニットに緩衝脚が締結されたときのその結合部分を詳細に示す断面図である。
【００８７】
【図６】図４のボードユニットに緩衝脚が締結されたときのその通気口部分を詳細に示す断面図である。
【００８８】
【図７】本発明に係る跳躍運動用ボードユニットにおける解体防止手段の他の実施例を説明するために示す図である。
【００８９】
【図８】本発明に係る跳躍運動用ボードユニットの他の実施例を示す分解斜視図である。
【００９０】
【図９】図８における内板と上板を抜粋して示す一部斜視図である。
【００９１】
【図１０】図８の組立て断面図である。
【００９２】
【図１１】本発明に係る跳躍運動用ボードユニットの緩衝脚に対する他の実施例を示す断面図である。
【００９３】
【図１２】本発明に係る跳躍運動用ボードユニットの緩衝脚に対する他の実施例を示す断面図である。
【００９４】
【図１３】本発明に係る跳躍運動用ボードユニットの緩衝脚に対する他の実施例を示す断面図である。
【図１】
2012516191.tif 000003
【図２】
2012516191.tif 000004
【図３】
2012516191.tif 000005
【図４】
2012516191.tif 000006
【図５】
2012516191.tif 000007
【図６】
2012516191.tif 000008
【図７】
2012516191.tif 000009
【図８】
2012516191.tif 000010
【図９】
2012516191.tif 000011
【図１０】
2012516191.tif 000012
【図１１】
2012516191.tif 000013
【図１２】
2012516191.tif 000014
【図１３】
2012516191.tif 000015
【国際調査報告】
2012516191.tif 000016
2012516191.tif 000017
2012516191.tif 000018
2012516191.tif 000019
2012516191.tif 000020
2012516191.tif 000021